【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
フィールド擾乱素子を備える飲料用容器であって、上記飲料用容器はポータルと共に使用され、上記ポータルは、電場若しくは磁場を発生させ、さらにフィールド擾乱素子が存在することを検出し、シグナルを発し、
さらに、上記飲料用容器は、
（ａ）多量の飲料を保持するための缶と、
（ｂ）上記缶を上記フィールドの中に挿入した時、上記ポータルが、中に缶が存在することについてシグナルを発するように、上記缶に固定されたフィールド擾乱素子と、を有し、
さらに、上記容器が、人間の感覚による外的な調査により、上記フィールド擾乱素子が設けられていない同様の容器と区別することができないことを特徴とする飲料用容器。
【請求項２】
上記フィールドが磁場であり、上記フィールド擾乱素子が、上記ポータルにより検出可能な磁気素子であることを特徴とする請求項１記載の飲料用容器。
【請求項３】
上記フィールドが高周波電場であり、上記フィールド擾乱素子が、上記フィールド中に回路が存在することを上記ポータルにより検出しシグナルを発するような共鳴周波数を有する受動型電気回路であることを特徴とする請求項１記載の飲料用容器。
【請求項４】
上記缶が壁部を有し、上記回路がその壁部上に配置されていることを特徴とする請求項３記載の飲料用容器。
【請求項５】
上記回路が、上記缶に取り付けられた部材上に配置され、さらに当該部材により秘匿されることを特徴とする請求項３記載の飲料用容器。
【請求項６】
上記缶が飲み口を備え、上記の缶に固定された部材が、飲み口のための、引き剥がし可能な薄片状閉じ部材であることを特徴とする請求項５記載の飲料用容器。
【請求項７】
上記引き剥がし可能な閉じ部材が、接触していないタブ部材と飲み口被覆部材とを有することを特徴とする請求項６記載の飲料用容器。
【請求項８】
上記回路が、上記タブ部材上に配置されていることを特徴とする請求項７記載の飲料用容器。
【請求項９】
上記回路が、上記飲み口被覆部材上に配置されていることを特徴とする請求項７記載の飲料用容器。
【請求項１０】
上記回路が、上記タブ部材及び上記飲み口被覆部材上に配置されていることを特徴とする請求項７記載の飲料用容器。
【請求項１１】
上記回路が、上記引き剥がし可能な薄片状閉じ部材上に印刷されてなることを特徴とする請求項６記載の飲料用容器。
【請求項１２】
上記回路が、上記引き剥がし可能な薄片状閉じ部材に薄く重ね合わされた皮膜上に配置されていることを特徴とする請求項６記載の飲料用容器。
【請求項１３】
上記回路が、上記ポータルにより検出可能である一方、上記引き剥がし可能な薄片状閉じ部材が、飲み口を閉じた部分において、上記缶に完全に固定されていることを特徴とする請求項６記載の飲料用容器。
【請求項１４】
上記回路が、上記飲み口を十分開口するために、上記薄片状閉じ部材を引き剥がした時のみ、上記ポータルにより検出可能であるように作動することを特徴とする請求項６記載の飲料用容器。
【請求項１５】
ポータルと共に使用するための飲料用容器のアレイであって、上記ポータルは電場若しくは磁場を発生させ、中にフィールド擾乱素子が存在することを検出しシグナルを発し、
上記飲料用容器のそれぞれは、多量の飲料を保持するための缶を有し、
第１の缶は、フィールド擾乱素子が取り付けられ、上記缶が上記フィールドに導入された時、上記ポータルが、その中に上記缶が存在することについてシグナルを発し、
第２の缶は、フィールド擾乱素子が取り付けられておらず、上記缶が上記フィールドに導入された時、上記ポータルが、その中に上記缶が存在することについてシグナルを発せず、
上記第１の缶と上記第２の缶とは、人間の感覚による外的な調査によって、互いに区別することができないことを特徴とする飲料用容器のアレイ。
【請求項１６】
多数の個人の中からコンテストの勝者を決定し、販売促進用コンテストを実行する方法であって、
（ａ）フィールドを発生させ、中にフィールド擾乱素子が存在することを検出し、さらに中にフィールド擾乱素子が存在することに対応するシグナルを発するように作動可能な少なくとも１つのポータルを準備する工程と、
（ｂ）フィールド擾乱素子を有する少なくとも１つのパッケージ、及びフィールド擾乱素子を欠く少なくとも１つのパッケージであって、人間の感覚による外的な調査によっては互いに区別することができないパッケージを含む複数のパッケージを準備する工程と、
（ｃ）フィールド擾乱素子を有するパッケージを配ることが無作為であるように、様々な個人に対して上記複数のパッケージを配する工程と、
（ｄ）上記パッケージが配された個人が、上記パッケージを上記フィールドに導入する位置において、少なくとも１つのポータルを作動させる工程と、を含み、
フィールド擾乱素子を有するパッケージが個人により上記フィールドに導入された時、上記ポータルが上記個人がコンテストの勝者であることを示すシグナルを発することを特徴とする販売促進用コンテストを実行するための方法。
【請求項１７】
上記フィールドが磁場であり、上記フィールド擾乱素子が上記少なくとも１つのポータルにより検出可能である磁気素子であることを特徴とする請求項１６記載の方法。
【請求項１８】
上記フィールドが高周波電磁場であり、上記フィールド擾乱素子が上記フィールドの中にマイクロ回路が存在することを上記ポータルにより検出されシグナルされるような共鳴周波数を有する受動型共鳴マイクロ回路であることを特徴とする請求項１６記載の方法。
【請求項１９】
上記パッケージが飲料用容器であることを特徴とする請求項１６〜１８のいずれかに記載の方法。
【請求項２０】
上記のフィールド擾乱素子を有する少なくとも１つのパッケージが飲料用容器であり、
上記飲料用容器が
多量の飲料を保持するための缶と、
上記缶を上記フィールドに導入した時に上記ポータルにより上記缶が中に存在することについてシグナルを発するように上記缶に固定されているフィールド擾乱素子と、を備えることを特徴とする請求項１６〜１９のいずれかに記載の方法。
【請求項２１】
上記フィールドが磁場であり、上記フィールド擾乱素子が上記ポータルにより検出可能な磁気素子であることを特徴とする請求項２０に記載の方法。
【請求項２２】
上記フィールドが高周波電場であり、上記フィールド擾乱素子が、上記フィールドに回路が存在することを上記ポータルにより検出しシグナルを発するように共鳴周波数を有する受動型電気回路であることを特徴とする請求項２０記載の方法。
【請求項２３】
上記缶が壁部を有し、上記回路がその上に配置されていることを特徴とする請求項２２記載の方法。
【請求項２４】
上記回路が上記缶に固定された部材上に配置され、それにより秘匿されていることを特徴とする請求項２２記載の方法。
【請求項２５】
上記缶が飲み口及び引き剥がし可能な薄片状閉じ部材を有し、上記閉じ部材が上記缶に固定された部材であることを特徴とする請求項２４記載の方法。
【請求項２６】
上記引き剥がし可能な薄片状閉じ部材が、接触していないタブ部材及び飲み口被覆部材を備えることを特徴とする請求項２５記載の方法。
【請求項２７】
上記回路が上記タブ部材上に配置されていることを特徴とする請求項２６記載の方法。
【請求項２８】
上記回路が上記飲み口被覆部材上に配置されていることを特徴とする請求項２６記載の方法。
【請求項２９】
上記回路が上記タブ部材及び上記飲み口被覆部材の両方の上に配置されていることを特徴とする請求項２６記載の方法。
【請求項３０】
上記回路が上記引き剥がし可能な薄片状閉じ部材上に印刷されてなることを特徴とする請求項２５記載の方法。
【請求項３１】
上記回路が上記引き剥がし可能な薄片状閉じ部材に薄く重ね合わされた皮膜上に配置されていることを特徴とする請求項２５記載の方法。
【請求項３２】
上記回路が上記ポータルにより検出可能である一方、上記引き剥がし可能な閉じ部材が飲み口を閉じる位置において上記缶に完全に固定されていることを特徴とする請求項２５記載の方法。
【請求項３３】
上記回路が、上記飲み口を十分開口するために、上記薄片状閉じ部材を引き剥がした時のみ上記ポータルにより検出可能であるように作動することを特徴とする請求項２５記載の方法。
【請求項３４】
上記回路が上記缶の外表面上に見えるように配置され、フィールド擾乱素子を欠くそれぞれの缶が上記缶の外的特性上見えるように配置された回路刺激設計素子を有し、フィールド擾乱素子を有する缶とフィールド擾乱素子を欠く缶とが互いに区別することができないことを特徴とする請求項２２記載の方法。